(57)【要約】      （修正有）【課題】銃剣の握りを離してしまうことなく、素早く向きを変えられる銃剣を提供する。【解決手段】鋭利な部分及び鋭利な部分と一体になった刀心を有する刀身１２、該刀身の鋭利な部分に近い第一端３０と該刀身の刀心の末端に近い第二端３２を有する握り１４、該刀身の鋭利な部分と該握りの第一端の間にある鍔１６、該握りの第二端に貼り付けてあり、さらに該刀身の刀心の末端にも貼り付けてあるクリップ１８、及び、該握り上で且つ該握りの第二端の近くにある位置決め握り部３６を含む、銃剣。さらに、該鋭利な部分が鋸刃状になった下方の鋭利な部分を含むものである刀身を含む銃剣。【選択図】図１
2005003358.tif 000002
【特許請求の範囲】
【請求項１】
次のもの：
鋭利な部分及び鋭利な部分と一体になった刀心を有する刀身、
該刀身の鋭利な部分の近くに第一端を有し、該刀身の刀心の末端の近くに第二端を有    する、該刀身の刀心を囲んでいる握り、
該刀身の鋭利な部分と該握りの第一端の間にある鍔、
該握りの第二端に貼り付けてあるクリップであって、さらに該刀身の刀心の末端に貼    り付けてあるクリップ、及び、
該握り上で該握りの第二端の近くの位置決め握り部、
を含む銃剣。
【請求項２】
該位置決め握り部が凹んだロゴを含むものである、請求項１に記載の銃剣。
【請求項３】
該位置決め握り部が該握りの窪みである、請求項１に記載の銃剣。
【請求項４】
該位置決め握り部が、位置決め握り部の二つの反対側の両面で窪んでいるものである、請求項３に記載の銃剣。
【請求項５】
位置決め握り部が、該位置決め握り部の二つの窪んだ面のそれぞれの表面に凹んだロゴを含むものである、請求項４に記載の銃剣。
【請求項６】
次のもの：
鋭利な部分及び鋭利な部分と一体になった刀心を有する刀身であって、該鋭利な部分    が鋸刃状の下方の鋭利な刃を含むものである刀身、
該刀身の刀心を囲っている握りであって、該握りが該刀身の鋭利な部分の近くに第一    端を該刀身の刀心の末端の近くに第二端を有するものである握り、
該刀身の鋭利な部分と該握りの第一端の間にある鍔、及び
該握りの第二端に貼り付けてあるクリップであって、さらに該刀身の刀心の末端に貼    り付けてあるクリップ、
を含む銃剣。
【発明の詳細な説明】
【技術分野】
【０００１】
関連出願の参照
本出願は、２００３年６月１２日に出願された米国仮特許出願第６０／４７８，１４０の優先権を主張する。
【背景技術】
【０００２】
ナイフの刃の鋸歯状の部分は、ロープや航空機用アルミニウムといったある種の物質を切断するナイフの能力を増大させるのによく用いられる。ジュネーブ条約により、上刃に鋸歯状の刃がある銃剣を使用することは禁じられている。しかしながら下刃が鋸歯状である銃剣若しくは下刃に部分的に鋸歯である銃剣は望ましい。
【０００３】
さらに、銃剣のユーザはすばやく銃剣の向きを変える必要があることが多い。しかしながら、そのように銃剣の向きを変えると従来の銃剣ではユーザが銃剣の握りを離してしまいやすい。従って、当分野では位置決め握り部（positioning access point）が付いている銃剣が望ましい。
【特許文献１】記載なし。
【非特許文献１】記載なし。
【発明の開示】
【発明が解決しようとする課題】
【０００４】
従って、下刃の全部又は一部が鋸刃状であり、位置決め握り部を有する銃剣を開発することが望ましい。
【課題を解決するための手段】
【０００５】
発明の概要
鋭利な部分及び鋭利な部分と一体になった刀心（tang) を有する刀身（blade)、該刀身の鋭利な部分の近くに第一端を該刀身の刀心の末端の近くに第二端を有する握り、該刀身の鋭利な部分と該握りの第一端の間にある鍔、該握りの第二端に貼り付けてあり、さらに該刀身の刀心の末端にも貼り付けてあるクリップ、及び、該握り上で且つ該握りの第二端の近くにある位置決め握り部を含む、銃剣を提供する。
【０００６】
さらに、鋭利な部分及び鋭利な部分と一体になった刀心を有する刀身であって、該鋭利な部分が鋸刃状になった下方の鋭利な部分を含むものである刀身、該刀身の刀心を囲っている握りであって、該刀身の鋭利な部分の近くに第一端を該刀身の刀心の末端の近くに第二端を有する握り、該刀身の鋭利な部分と該握りの第一端の間にある鍔、及び該握りの第二端に貼りつけてありさらに該刀身の刀心の末端に貼りつけてあるクリップ、を含む銃剣を提供する。
【発明を実施するための最良の形態】
【０００７】
図１は、本発明の銃剣を示す。銃剣１０には刀身１２、握り１４、鍔１６、及びクリップ１８が含まれる。
【０００８】
図１と図２では、刀身１２には下刃２０、上刃２２、及び刀心２４が含まれる。下刃２０は長さに沿って鋭利にされており、鋸刃状部分２６を含む。鋸刃状部分２６は、ロープや航空機用アルミニウムなどの物質を切り裂く銃剣の能力を向上させる。上刃２２には鋭利にされた部分２８が含まれる。
【０００９】
次に図１と図３を見ると、握り１４には第一端３０、第二端３２、溝３４、及び位置決め握り部３６が含まれる。溝３４は握り１４の握りやすさを向上させ、握り１４の重量を減少させる。位置決め握り部３６は第二端３２の近くに配置され、握り１４の両側に凹みにロゴ３８ａ及び３８ｂが刻印されている。図４に示すように、位置決め握り部３６は握り１４の窪んだ部分を含む。さらにこの位置決め握り部３６は、銃剣１０の自然な旋回軸の点（pivot point）に配置されている。従って、人差し指又は中指を片側の位置決め握り部３６に置き、親指を反対側の位置決め握り部３６に置くと、銃剣１０は人差し指若しくは中指と親指の間で位置決め握り部３６を中心に自然に回転する。
【００１０】
図１と図５を参照すると、鍔１６は上部４０と下部４２を含む。上部４０は、刀身１２の上刃２２の近くにあり、握り１４の上側に延びる。上部４０にはさらに、ライフルの銃身に取り付けるための空間を持つ孔４４が含まれる。下部４２は握り１４の下側に延びる。従って、上部４０と下部４２は、使用中にユーザの手が刀身１２へと滑るのを防ぐ。    
【００１１】
クリップ１８は、ライフルに銃剣１０を取り付けるための、すぐに取り外せる付属物である。クリップ１８には止め金具５２と指当て５４が付いたレバー５０が含まれる。レバー５０は、指当て５４に力を加えてクリップ１８を外すと、指当て５４と止め金具５２の間の支点を中心に回転する。クリップ１８は握り１４の第二端に、リベット、ネジ、エポキシ、又は他の適切な留め具で貼りつける。刀心２４は、溶接、エポキシ、又は他の適切な留め具でクリップに貼りつける。刀心２４は、ハンマーで叩きつけて鍔１６とクリップ１８の間にピンと張った状態で取り付けるのが好ましい。従って、握り１４は第一端３０と第二端３２を介する圧縮力を受けた状態に置かれる。
【００１２】
使用に際しては、銃剣１０は頻繁に向きを変えなければならない。例えば、銃剣１０は直立位置にある鞘から取り出すことが良くあるが、逆の位置でライフルに取り付けなければならない。従って、銃剣１０を素早く逆さにできることは利点となるであろう。位置決め握り部３６が窪ませてあり、ロゴ３８ａ及び３８ｂが刻印してあるため、人差し指（又は中指）と親指が第一端３０から位置決め握り部３６へと自然に滑る。いったん人差し指若しくは中指と親指を両サイドの位置決め握り部３６に置くと、銃剣１０は直立状態から逆向きに素早く容易に回転する。銃剣１０の向きを素早く変えることは、戦闘でも頻繁に必要となる。
【００１３】
膨らみが二つある設計図を持つ握り１４が図に示されているが、膨らみが一つの設計図を用いても良い。握り１４の素材は、ＤＹＮＡＦＬＥＸ  Ｇ７９８０（商標）であるのが好ましいが、適切な強度を有する何らかの素材を用いても良い。ＤＹＮＡＦＬＥＸ  Ｇ７９８０（商標）はＧＬＳコーポレーションの商標であり、ＫＲＡＴＯＮ（登録商標）ポリマーでできている熱可塑性エラストマー化合物である。ＫＲＡＴＯＮ（登録商標）は、クレイトンポリマー  Ｕ．Ｓ．ＬＬＣ．の登録商標である。ＫＲＡＴＯＮ（登録商標）ポリマー及び化合物は、スチレン−ブタンジエン−スチレン、スチレン−イソプレン−スチレン、スチレン−エチレン／ブチレン−スチレン、及びスチレン−エチレン／プロピレンの組み合わせを含んでいる。握り１４はユーザの握り易さを向上させるため、刻み模様をつけても良い。刻み模様は、図６又は図７に示すような菱形の刻みであって良く、握り１４はその他の方法で適切に刻みをつけても良い。
【００１４】
図６と図７に示すように、銃剣１１０及び２１０はそれぞれ、別の形の刃をつけた刀身１１２及び２１２を有する。この刀身の代替形状１１２及び２１２は、鋸刃を含んでも良い。
【００１５】
本発明の上述の及びその他の特徴と利点、並びにそれらを得る方法は、添付の図面と共に本発明の実施態様についての下記の詳細な説明を参照することにより評価され、さらに容易に理解されるであろう。
【００１６】
対応する参照文字列は、複数の図中の対応する部品を示す。本明細書で提示する具体例は、本発明の好ましい実施態様を図解するものであり、このような具体例は、如何なる方法でも本発明の範囲を限定するものと解釈すべきでない。
【図面の簡単な説明】
【００１７】
【図１】図１は、本発明の銃剣の側面図である。
【図２】図２は、図１の刀身の側面図である。
【図３】図３は、図１の銃剣の裏側の側面図である。
【図４】図４は、図１の銃剣の上面図である。
【図５】図５は、図１の銃剣の端面図である。
【図６】図６は、別の形状の刀身を持つ、本発明の銃剣の側面図である。
【図７】図７は、さらに別の形状の刃の刀身を持つ、本発明の銃剣の側面図である。
【符号の説明】
【００１８】
１０    銃剣
１２    刀身
１４    握り
１６    鍔
１８    クリップ
２０    下刃
２２    上刃
２４    刀心
２６    鋸刃部分
２８    鋭利な部分
３０    第一端
３２    第二端
３４    溝
３６    位置決め握り部
３８ａ  ロゴ
３８ｂ  ロゴ
４０    鍔の上部
４２    鍔の下部
４４    孔
５０    レバー
５２    止め金具
５４    指当て
【図１】
2005003358.tif 000003
【図２】
2005003358.tif 000004
【図３】
2005003358.tif 000005
【図４】
2005003358.tif 000006
【図５】
2005003358.tif 000007
【図６】
2005003358.tif 000008
【図７】
2005003358.tif 000009